(57)【特許請求の範囲】
【請求項１】
移動性管理ネットワーク要素によって、アクセスノードによって送信されるノード機能通知メッセージを受信する段階であって、前記ノード機能通知メッセージは、前記アクセスノードが、前記移動性管理ネットワーク要素からページングメッセージを受信すべく、ユーザデータグラムプロトコルの使用をサポートすること、および前記アクセスノードが、前記移動性管理ネットワーク要素から前記ページングメッセージを受信すべく、ストリーム制御送信プロトコルの使用をサポートすることを示すために使用される、受信する段階と、
前記移動性管理ネットワーク要素によって、第１のページングメッセージを前記アクセスノードに送信するために、前記ユーザデータグラムプロトコルを選択する段階と、を備える、ページングメッセージ処理方法。
【請求項２】
前記移動性管理ネットワーク要素によって、第１のページングメッセージを前記アクセスノードに送信するために、前記ユーザデータグラムプロトコルを前記選択する段階は、
前記ページングメッセージを送信するために、前記ストリーム制御送信プロトコルが前記移動性管理ネットワーク要素によって使用されている場合、輻輳が発生しているかどうかを判断する段階と、
前記輻輳が発生している場合、前記第１のページングメッセージを前記アクセスノードに送信するために、前記ユーザデータグラムプロトコルを選択する段階と、を含む、請求項１に記載の方法。
【請求項３】
前記ページングメッセージを送信するために、前記ストリーム制御送信プロトコルが前記移動性管理ネットワーク要素によって使用されている場合、輻輳が発生しているかどうかを前記判断する段階は、
前記ページングメッセージを送信するために、前記ストリーム制御送信プロトコルが前記移動性管理ネットワーク要素によって使用されている場合の前記移動性管理ネットワーク要素の中央処理装置の使用状況を取得し、前記使用状況が閾値を超えているかどうかを判断する段階と、
前記使用状況が前記閾値を超えていれば、前記ページングメッセージを送信するために、前記ストリーム制御送信プロトコルが前記移動性管理ネットワーク要素によって使用されている場合に前記輻輳が発生していると判断する段階と、を含む、請求項２に記載の方法。
【請求項４】
前記ページングメッセージを送信するために、前記ストリーム制御送信プロトコルが前記移動性管理ネットワーク要素によって使用されている場合、輻輳が発生しているかどうかを前記判断する段階は、
前記ページングメッセージを送信するために、前記ストリーム制御送信プロトコルが前記移動性管理ネットワーク要素によって使用されている場合、データパケット損失の現象が発生しているかどうかを判断する段階と、
前記データパケット損失の前記現象が発生していれば、前記ページングメッセージを送信するために、前記ストリーム制御送信プロトコルが前記移動性管理ネットワーク要素によって使用されている場合に前記輻輳が発生していると判断する段階と、を含む、請求項２に記載の方法。
【請求項５】
前記移動性管理ネットワーク要素によって、第１のページングメッセージを前記アクセスノードに送信するために、前記ユーザデータグラムプロトコルを前記選択する段階は、
前記移動性管理ネットワーク要素によって、前記ページングメッセージをトリガするために、サービス提供ゲートウェイによって送信されるデータパケットを受信する段階と、前記データパケットの属性を取得する段階と、前記データパケットの前記属性に従い、前記ユーザデータグラムプロトコルを選択することによって、前記第１のページングメッセージを前記アクセスノードに送信する段階と、を含む、請求項１に記載の方法。
【請求項６】
前記データパケットの前記属性は、以下のパラメータ、ＥＰＳベアラ識別、リンクされたベアラ識別、アクセスポイント名、ＱｏＳ分類識別子、および割り当て／保持優先度のうちの１つに従い判断される、請求項５に記載の方法。
【請求項７】
前記データパケットの属性を前記取得する段階は、
前記データパケットに対応する前記ＥＰＳベアラ識別を取得する段階と、対応するアクセスポイント名またはＱｏＳ分類識別を取得すべく、前記ＥＰＳベアラ識別に従い、ベアラコンテキストを探す段階と、前記アクセスポイント名または前記ＱｏＳ分類識別に従い、前記データパケットの前記属性を判断する段階と、を含む、請求項６に記載の方法。
【請求項８】
前記データパケットの属性を前記取得する段階は、
前記データパケットに対応する前記リンクされたベアラ識別を取得する段階と、対応するアクセスポイント名を取得すべく、前記リンクされたベアラ識別に従い、ベアラコンテキストを探す段階と、前記アクセスポイント名に従い、前記データパケットの前記属性を判断する段階と、を含む、請求項６に記載の方法。
【請求項９】
前記ノード機能通知メッセージは、ｅＮｏｄｅＢ構成更新メッセージ、または前記アクセスノードが前記ユーザデータグラムプロトコルをサポートするかどうかを示す識別子を伝送するＳ１確立要求メッセージである、請求項１から８のいずれか一項に記載の方法。
【請求項１０】
アクセスノードによって、ノード機能通知メッセージを移動性管理ネットワーク要素に送信する段階であって、前記ノード機能通知メッセージは、前記アクセスノードが、前記移動性管理ネットワーク要素からページングメッセージを受信すべく、ユーザデータグラムプロトコルの使用をサポートすること、および前記アクセスノードが、前記移動性管理ネットワーク要素から前記ページングメッセージを受信すべく、ストリーム制御送信プロトコルの使用をサポートすることを示すために使用される、送信する段階と、
前記アクセスノードによって、前記ユーザデータグラムプロトコルを使用することによって、前記移動性管理ネットワーク要素によって送信される第１のページングメッセージを受信する段階と、を備える、ページングメッセージ処理方法。
【請求項１１】
前記方法は、
前記アクセスノードが、前記ユーザデータグラムプロトコルを選択することによって、前記移動性管理ネットワーク要素によって送信される前記第１のページングメッセージを受信した後、前記アクセスノードによって、前記第１のページングメッセージ内の移動性管理ネットワーク要素識別子に従い、前記移動性管理ネットワーク要素のストリーム制御送信プロトコル接続情報を取得する段階と、前記ストリーム制御送信プロトコル接続情報内の第１のＩＰアドレスが、前記第１のページングメッセージ内の第２のＩＰアドレスと同一であるかどうかを判断する段階と、をさらに備え、
前記第１のＩＰアドレスが前記第２のＩＰアドレスと同一であれば、前記アクセスノードによって、前記第１のページングメッセージをユーザ端末に送信し、
前記第１のＩＰアドレスが前記第２のＩＰアドレスと異なれば、前記アクセスノードによって、前記第１のページングメッセージを破棄する、請求項１０に記載の方法。
【請求項１２】
前記ノード機能通知メッセージは、ｅＮｏｄｅＢ構成更新メッセージ、または前記アクセスノードが前記ユーザデータグラムプロトコルをサポートするかどうかを示す識別子を伝送するＳ１確立要求メッセージである、請求項１０または１１に記載の方法。
【請求項１３】
アクセスノードによって送信されるノード機能通知メッセージを受信するメッセージ受信モジュールであって、前記ノード機能通知メッセージは、前記アクセスノードが、移動性管理ネットワーク要素からページングメッセージを受信すべく、ユーザデータグラムプロトコルの使用をサポートすること、および前記アクセスノードが、前記移動性管理ネットワーク要素から前記ページングメッセージを受信すべく、ストリーム制御送信プロトコルの使用をサポートすることを示すために使用される、メッセージ受信モジュールと、
第１のページングメッセージを前記アクセスノードに送信するために、前記ユーザデータグラムプロトコルを選択するメッセージ送信モジュールと、を備える、移動性管理ネットワーク要素。
【請求項１４】
前記メッセージ送信モジュールは、
前記ページングメッセージを送信するために、前記ストリーム制御送信プロトコルが前記移動性管理ネットワーク要素によって使用されている場合、輻輳が発生しているかどうかを判断する判断ユニットと、
前記判断ユニットが、前記ページングメッセージを送信するために、前記ストリーム制御送信プロトコルが前記移動性管理ネットワーク要素によって使用されている場合に前記輻輳が発生していると判断するとき、前記第１のページングメッセージを前記アクセスノードに送信するために、前記ユーザデータグラムプロトコルを選択および使用するメッセージ送信ユニットと、を含む、請求項１３に記載の移動性管理ネットワーク要素。
【請求項１５】
前記メッセージ送信モジュールは、
前記ページングメッセージを送信するために、前記ストリーム制御送信プロトコルが前記移動性管理ネットワーク要素によって使用されている場合の前記移動性管理ネットワーク要素の中央処理装置の使用状況を取得する使用状況取得ユニットをさらに含み、
前記使用状況取得ユニットによって取得された前記中央処理装置の前記使用状況が閾値を超えている場合、前記判断ユニットは、前記ページングメッセージを送信するために、前記ストリーム制御送信プロトコルが前記移動性管理ネットワーク要素によって使用されている場合に前記輻輳が発生していると判断する、請求項１４に記載の移動性管理ネットワーク要素。
【請求項１６】
前記メッセージ送信モジュールは、
前記ページングメッセージを送信するために、前記ストリーム制御送信プロトコルが前記移動性管理ネットワーク要素によって使用されている場合にデータパケット損失の現象が発生しているかどうかを判断するパケット損失判断ユニットをさらに含み、
前記パケット損失判断ユニットが、前記ページングメッセージを送信するために、前記ストリーム制御送信プロトコルが前記移動性管理ネットワーク要素によって使用されている場合に前記データパケット損失の前記現象が発生していると判断するとき、前記判断ユニットは、前記ページングメッセージを送信するために、前記ストリーム制御送信プロトコルが前記移動性管理ネットワーク要素によって使用されている場合に前記輻輳が発生していると判断する、請求項１５に記載の移動性管理ネットワーク要素。
【請求項１７】
前記メッセージ送信モジュールは、
前記ページングメッセージをトリガするために、サービス提供ゲートウェイによって送信されるデータパケットを受信するデータパケット受信ユニットと、
前記データパケット受信ユニットによって受信される前記データパケットに従い、前記データパケットの属性を取得する属性取得ユニットと、
前記属性取得ユニットによって取得された前記データパケットの前記属性に従い、前記第１のページングメッセージを前記アクセスノードに送信するために前記ユーザデータグラムプロトコルを選択および使用するメッセージ送信ユニットと、をさらに含む、請求項１３に記載の移動性管理ネットワーク要素。
【請求項１８】
前記データパケットの前記属性は、以下のパラメータ、ＥＰＳベアラ識別、リンクされたベアラ識別、アクセスポイント名、ＱｏＳ分類識別子、および割り当て／保持優先度のうちの１つに従い判断される、請求項１７に記載の移動性管理ネットワーク要素。
【請求項１９】
前記属性取得ユニットは、前記ＥＰＳベアラ識別を取得し、対応するアクセスポイント名またはＱｏＳ分類識別を取得すべく、前記ＥＰＳベアラ識別に従い、ベアラコンテキストを探し、前記アクセスポイント名または前記ＱｏＳ分類識別に従い、前記データパケットの前記属性を判断する、請求項１８に記載の移動性管理ネットワーク要素。
【請求項２０】
前記属性取得ユニットは、前記リンクされたベアラ識別を取得し、対応するアクセスポイント名を取得すべく、前記リンクされたベアラ識別に従い、ベアラコンテキストを探し、前記アクセスポイント名に従い、前記データパケットの前記属性を判断する、請求項１８に記載の移動性管理ネットワーク要素。
【請求項２１】
アクセスノードであって、ノード機能通知メッセージを移動性管理ネットワーク要素に送信するメッセージ送信モジュールであって、前記ノード機能通知メッセージは、前記アクセスノードが、前記移動性管理ネットワーク要素からページングメッセージを受信すべく、ユーザデータグラムプロトコルの使用をサポートすること、および前記アクセスノードが、前記移動性管理ネットワーク要素から前記ページングメッセージを受信すべく、ストリーム制御送信プロトコルの使用をサポートすることを示すために使用される、メッセージ送信モジュールと、
前記ユーザデータグラムプロトコルを使用することによって、前記移動性管理ネットワーク要素によって送信される第１のページングメッセージを受信するメッセージ受信モジュールと、を備える、アクセスノード。
【請求項２２】
前記メッセージ受信モジュールが、前記ユーザデータグラムプロトコルを選択することによって、前記移動性管理ネットワーク要素によって送信される前記第１のページングメッセージを受信した後、前記第１のページングメッセージ内の移動性管理ネットワーク要素識別子に従い、前記移動性管理ネットワーク要素のストリーム制御送信プロトコル接続情報を取得する取得モジュールと
前記取得モジュールによって取得される前記ストリーム制御送信プロトコル接続情報内の第１のＩＰアドレスが、前記第１のページングメッセージ内の第２のＩＰアドレスと同一であるかどうかを判断する判断モジュールと、をさらに備え、
前記判断モジュールが、前記第１のＩＰアドレスが前記第２のＩＰアドレスと同一であると判断すれば、前記メッセージ送信モジュールは、前記第１のページングメッセージをユーザ端末に送信し、または
前記判断モジュールが、前記第１のＩＰアドレスが前記第２のＩＰアドレスと異なると判断すれば、前記メッセージ送信モジュールは、前記第１のページングメッセージを破棄する、請求項２１に記載のアクセスノード。
【請求項２３】
プロセッサと、メモリと、ネットワークインタフェースと、を備え、
前記メモリは、複数のコンピュータプログラム命令を格納し、
前記プロセッサは、前記メモリ内に格納された前記複数のコンピュータプログラム命令を実行し、それによって移動性管理ネットワーク要素に、請求項１から９のいずれか一項に記載の方法を実行させる、移動性管理ネットワーク要素。
【請求項２４】
プロセッサと、メモリと、ネットワークインタフェースと、を備え、
前記メモリは、複数のコンピュータプログラム命令を格納し、
前記プロセッサは、前記メモリ内に格納された前記複数のコンピュータプログラム命令を実行し、それによって移動性管理ネットワーク要素に、請求項１０から１２のいずれか一項に記載の方法を実行させる、アクセスノード。
【請求項２５】
処理手段による実行時、前記処理手段に、請求項１から１２のいずれか一項に記載の方法を実行させるコード手段である、コンピュータプログラム。
【請求項２６】
請求項２５に記載の前記コンピュータプログラムを格納するコンピュータ可読記録媒体。
【発明の詳細な説明】
【技術分野】
【０００１】
本発明は、ネットワーク通信技術の分野に関し、特にアクセスノード、移動性管理ネットワーク要素、およびページングメッセージ処理方法に関する。
【背景技術】
【０００２】
モバイル通信ネットワークにおいては、ページングメッセージを処理すべく、ストリーム制御送信プロトコルまたはユーザデータグラムプロトコルといった１つの通信プロトコルが、移動性管理ネットワーク要素およびアクセスノード間において一般的に使用される。しかしながら、ページングメッセージの信頼性のある送信に対するユーザの要求を満たし、同時に、過度に大量のリソース消費によって引き起こされる移動性管理ネットワーク要素における輻輳の問題を回避すべく、１つのみの通信プロトコルを使用することは極めて困難である。
【０００３】
特に、例えば、ストリーム制御送信プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰ）は接続指向のデータパケット送信プロトコルであるので、ストリーム制御送信プロトコルを使用することによってページングメッセージを処理することは極めて信頼性がある。しかしながら、高信頼性のストリーム制御送信プロトコルを実装する目的については、移動性管理ネットワーク要素は、ページングメッセージを処理するためにストリーム制御送信プロトコルを使用する場合、大量のリソースを消費し、移動性管理ネットワーク要素における輻輳の問題は容易に発生し得る。
【０００４】
別の例では、ユーザデータグラムプロトコル（Ｕｓｅｒ  Ｄａｔａｇｒａｍ  Ｐｒｏｔｏｃｏｌ、ＵＤＰ）はステートレス切り替えを特徴とし、コネクションレスであるので、ページングメッセージを処理するために、ストリーム制御送信プロトコルが使用される場合においてアクセスノードとやり取りするときに、移動性管理ネットワーク要素は、ポートを使用することによって、および宛先アドレスに従い、データパケットを直接送信してよい。従って、ページングメッセージを処理するために、ユーザデータグラムプロトコルを使用する場合、移動性管理ネットワーク要素は、より少ないリソースを消費するが、同時に、信頼性は比較的低い。
【発明の概要】
【０００５】
本発明によって解決される主な技術的な課題は、ページングメッセージの信頼性のある送信に対するユーザの要求を満たし、ページングメッセージ処理プロセスにおける移動性管理ネットワーク要素の複数のリソースの消費を低減し、移動性管理ネットワーク要素における輻輳の問題を回避すべく、アクセスノード、移動性管理ネットワーク要素、およびページングメッセージ処理方法を提供することにある。
【０００６】
本発明の第１の態様によると、移動性管理ネットワーク要素によって、アクセスノードによって送信されるノード機能通知メッセージを受信する段階であって、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、受信する段階と、上記移動性管理ネットワーク要素によって、第１のページングメッセージを上記アクセスノードに送信するために、上記ユーザデータグラムプロトコルを選択および使用する段階と、を備える、ページングメッセージ処理方法が提供される。
【０００７】
第１の態様に係る第１の可能性のある実装方式において、上記移動性管理ネットワーク要素によって、第１のページングメッセージを上記アクセスノードに送信するために、上記ユーザデータグラムプロトコルを上記選択および使用する段階は、上記ページングメッセージを送信するために、上記ストリーム制御送信プロトコルが上記移動性管理ネットワーク要素によって使用されている場合、輻輳が発生しているかどうかを判断する段階と、上記輻輳が発生している場合、上記第１のページングメッセージを上記アクセスノードに送信するために、上記ユーザデータグラムプロトコルを選択および使用する段階と、を含む。
【０００８】
第１の態様に係る第１の可能性のある実装方式に関し、第１の態様に係る第２の可能性のある実装方式において、上記ページングメッセージを送信するために、上記ストリーム制御送信プロトコルが上記移動性管理ネットワーク要素によって使用されている場合、輻輳が発生しているかどうかを上記判断する段階は、上記ページングメッセージを送信するために、上記ストリーム制御送信プロトコルが上記移動性管理ネットワーク要素によって使用されている場合の上記移動性管理ネットワーク要素の中央処理装置の使用状況を取得し、上記使用状況が閾値を超えているかどうかを判断する段階と、上記使用状況が上記閾値を超えていれば、上記ページングメッセージを送信するために、上記ストリーム制御送信プロトコルが上記移動性管理ネットワーク要素によって使用されている場合に上記輻輳が発生していると判断する段階と、を含む。
【０００９】
第１の態様に係る第１の可能性のある実装方式に関し、第１の態様に係る第３の可能性のある実装方式において、上記ページングメッセージを送信するために、上記ストリーム制御送信プロトコルが上記移動性管理ネットワーク要素によって使用されている場合、輻輳が発生しているかどうかを上記判断する段階は、上記ページングメッセージを送信するために、上記ストリーム制御送信プロトコルが上記移動性管理ネットワーク要素によって使用されている場合、データパケット損失の現象が発生しているかどうかを判断する段階と、上記データパケット損失の上記現象が発生していれば、上記ページングメッセージを送信するために、上記ストリーム制御送信プロトコルが上記移動性管理ネットワーク要素によって使用されている場合に上記輻輳が発生していると判断する段階と、を含む。
【００１０】
第１の態様に係る第４の可能性のある実装方式において、上記移動性管理ネットワーク要素によって、第１のページングメッセージを上記アクセスノードに送信するために、上記ユーザデータグラムプロトコルを上記選択および使用する段階は、上記移動性管理ネットワーク要素によって、上記ページングメッセージをトリガするために、サービス提供ゲートウェイによって送信されるデータパケットを受信する段階と、上記データパケットの属性を取得する段階と、上記データパケットの上記属性に従い、上記ユーザデータグラムプロトコルを選択および使用することによって、上記第１のページングメッセージを上記アクセスノードに送信する段階と、を含む。
【００１１】
第１の態様に係る第４の可能性のある実装方式に関し、第１の態様に係る第５の可能性のある実装方式において、上記データパケットの上記属性は、以下のパラメータ、ＥＰＳベアラ識別、リンクされたベアラ識別、アクセスポイント名、ＱｏＳ分類識別、および割り当て／保持優先度のうちの１つに従い判断される。
【００１２】
第１の態様に係る第５の可能性のある実装方式に関し、第１の態様に係る第６の可能性のある実装方式において、上記データパケットの属性を上記取得する段階は、上記データパケットに対応する上記ＥＰＳベアラ識別を取得する段階と、対応するアクセスポイント名またはＱｏＳ分類識別を取得すべく、上記ＥＰＳベアラ識別に従い、ベアラコンテキストを探す段階と、上記アクセスポイント名または上記ＱｏＳ分類識別に従い、上記データパケットの上記属性を判断する段階と、を含む。
【００１３】
第１の態様に係る第５の可能性のある実装方式に関し、第１の態様に係る第７の可能性のある実装方式において、上記データパケットの属性を上記取得する段階は、上記データパケットに対応する上記リンクされたベアラ識別を取得する段階と、対応するアクセスポイント名を取得すべく、上記リンクされたベアラ識別に従い、ベアラコンテキストを探す段階と、上記アクセスポイント名に従い、上記データパケットの上記属性を判断する段階と、を含む。
【００１４】
第１の態様に係る第８から第１５までの可能性のある実装方式において、上記ノード機能通知メッセージは、ｅＮｏｄｅＢ構成更新メッセージ、または上記アクセスノードが上記ユーザデータグラムプロトコルをサポートするかどうかを示す識別子を伝送するＳ１確立要求メッセージである。
【００１５】
本発明の第２の態様によると、アクセスノードによって、ノード機能通知メッセージを移動性管理ネットワーク要素に送信する段階であって、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、送信する段階と、上記アクセスノードによって、上記ユーザデータグラムプロトコルを選択および使用することによって、上記移動性管理ネットワーク要素によって送信される第１のページングメッセージを受信する段階と、を備える、ページングメッセージ処理方法が提供される。
【００１６】
第２の態様に係る第１の可能性のある実装方式において、上記方法は、上記アクセスノードが、上記ユーザデータグラムプロトコルを選択および使用することによって、上記移動性管理ネットワーク要素によって送信される上記第１のページングメッセージを受信した後、上記アクセスノードによって、上記第１のページングメッセージ内の移動性管理ネットワーク要素識別子に従い、上記移動性管理ネットワーク要素のストリーム制御送信プロトコル接続情報を取得する段階と、上記ストリーム制御送信プロトコル接続情報内の第１のＩＰアドレスが、上記第１のページングメッセージ内の第２のＩＰアドレスと同一であるかどうかを判断する段階と、をさらに備え、上記第１のＩＰアドレスが上記第２のＩＰアドレスと同一であれば、上記アクセスノードによって、上記第１のページングメッセージをユーザ端末に送信し、上記第１のＩＰアドレスが上記第２のＩＰアドレスと異なれば、上記アクセスノードによって、上記第１のページングメッセージを破棄する。
【００１７】
第２の態様に係る第２から第３の可能性のある実装方式において、上記ノード機能通知メッセージは、ｅＮｏｄｅＢ構成更新メッセージ、または上記アクセスノードが上記ユーザデータグラムプロトコルをサポートするかどうかを示す識別子を伝送するＳ１確立要求メッセージである。
【００１８】
本発明の第３の態様によると、アクセスノードによって送信されるノード機能通知メッセージを受信するよう構成されたメッセージ受信モジュールであって、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、メッセージ受信モジュールと、第１のページングメッセージを上記アクセスノードに送信するために、上記ユーザデータグラムプロトコルを選択および使用するよう構成された、メッセージ送信モジュールと、を備える、移動性管理ネットワーク要素である。
【００１９】
第３の態様に係る第１の可能性のある実装方式において、上記メッセージ送信モジュールは、上記ページングメッセージを送信するために、上記ストリーム制御送信プロトコルが上記移動性管理ネットワーク要素によって使用されている場合、輻輳が発生しているかどうかを判断するよう構成された判断ユニットと、上記判断ユニットが、上記ページングメッセージを送信するために、上記ストリーム制御送信プロトコルが上記移動性管理ネットワーク要素によって使用されている場合に上記輻輳が発生していると判断するとき、上記第１のページングメッセージを上記アクセスノードに送信するために、上記ユーザデータグラムプロトコルを選択および使用するよう構成されたメッセージ送信ユニットと、を含む。
【００２０】
第３の態様に係る第１の可能性のある実装方式に関し、第３の態様に係る第２の可能性のある実装方式において、上記メッセージ送信モジュールは、上記ページングメッセージを送信するために、上記ストリーム制御送信プロトコルが上記移動性管理ネットワーク要素によって使用されている場合の上記移動性管理ネットワーク要素の中央処理装置の使用状況を取得するよう構成された使用状況取得ユニットをさらに含み、上記使用状況取得ユニットによって取得された上記中央処理装置の上記使用状況が閾値を超えている場合、上記判断ユニットは、上記ページングメッセージを送信するために、上記ストリーム制御送信プロトコルが上記移動性管理ネットワーク要素によって使用されている場合に上記輻輳が発生していると判断する。
【００２１】
第３の態様に係る第２の可能性のある実装方式に関し、第３の態様に係る第３の可能性のある実装方式において、上記メッセージ送信モジュールは、上記ページングメッセージを送信するために、上記ストリーム制御送信プロトコルが上記移動性管理ネットワーク要素によって使用されている場合にデータパケット損失の現象が発生しているかどうかを判断するよう構成されたパケット損失判断ユニットをさらに含み、上記パケット損失判断ユニットが、上記ページングメッセージを送信するために、上記ストリーム制御送信プロトコルが上記移動性管理ネットワーク要素によって使用されている場合に上記データパケット損失の上記現象が発生していると判断するとき、上記判断ユニットは、上記ページングメッセージを送信するために、上記ストリーム制御送信プロトコルが上記移動性管理ネットワーク要素によって使用されている場合に上記輻輳が発生していると判断する。
【００２２】
第３の態様に係る第１の可能性のある実装方式に関し、第３の態様に係る第４の可能性のある実装方式において、上記メッセージ送信モジュールは、上記ページングメッセージをトリガするために、サービス提供ゲートウェイによって送信されるデータパケットを受信するよう構成されたデータパケット受信ユニットと、上記データパケット受信ユニットによって受信される上記データパケットに従い、上記データパケットの属性を取得するよう構成された属性取得ユニットと、上記属性取得ユニットによって取得された上記データパケットの上記属性に従い、上記第１のページングメッセージを上記アクセスノードに送信するために上記ユーザデータグラムプロトコルを選択および使用するよう構成されたメッセージ送信ユニットと、をさらに含む。
【００２３】
第３の態様に係る第４の可能性のある実装方式に関し、第３の態様に係る第５の可能性のある実装方式において、上記データパケットの上記属性は、以下のパラメータ、ＥＰＳベアラ識別、リンクされたベアラ識別、アクセスポイント名、ＱｏＳ分類識別、および割り当て／保持優先度のうちの１つに従い判断される。
【００２４】
第３の態様に係る第５の可能性のある実装方式に関し、第３の態様に係る第６の可能性のある実装方式において、上記属性取得ユニットは、上記ＥＰＳベアラ識別を取得し、対応するアクセスポイント名またはＱｏＳ分類識別を取得すべく、上記ＥＰＳベアラ識別に従い、ベアラコンテキストを探し、上記アクセスポイント名または上記ＱｏＳ分類識別に従い、上記データパケットの上記属性を判断するよう構成されている。
【００２５】
第３の態様に係る第５の可能性のある実装方式に関し、第３の態様に係る第７の可能性のある実装方式において、上記属性取得ユニットは、上記リンクされたベアラ識別を取得し、対応するアクセスポイント名を取得すべく、上記リンクされたベアラ識別に従い、ベアラコンテキストを探し、上記アクセスポイント名に従い、上記データパケットの上記属性を判断するよう構成されている。
【００２６】
本発明の第４の態様によると、ノード機能通知メッセージを移動性管理ネットワーク要素に送信するよう構成されたメッセージ送信モジュールであって、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、メッセージ送信モジュールと、上記ユーザデータグラムプロトコルを選択および使用することによって、上記移動性管理ネットワーク要素によって送信される上記第１のページングメッセージを受信するよう構成された、メッセージ受信モジュールと、を備える、アクセスノードが提供される。
【００２７】
第４の態様に係る第１の可能性のある実装方式において、上記アクセスノードは、上記メッセージ受信モジュールが、上記ユーザデータグラムプロトコルを選択および使用することによって、上記移動性管理ネットワーク要素によって送信される上記第１のページングメッセージを受信した後、上記第１のページングメッセージ内の移動性管理ネットワーク要素識別子に従い、上記移動性管理ネットワーク要素のストリーム制御送信プロトコル接続情報を取得するよう構成された取得モジュールと、上記取得モジュールによって取得される上記ストリーム制御送信プロトコル接続情報内の第１のＩＰアドレスが、上記第１のページングメッセージ内の第２のＩＰアドレスと同一であるかどうかを判断するよう構成された判断モジュールと、をさらに備え、上記判断モジュールが、上記第１のＩＰアドレスが上記第２のＩＰアドレスと同一であると判断すれば、上記メッセージ送信モジュールは、上記第１のページングメッセージをユーザ端末に送信し、または上記判断モジュールが、上記第１のＩＰアドレスが上記第２のＩＰアドレスと異なると判断すれば、上記メッセージ送信モジュールは、上記第１のページングメッセージを破棄する。
【００２８】
本発明の第５の態様によると、プロセッサと、メモリと、ネットワークインタフェースと、を備え、上記プロセッサは、アクセスノードによって送信されるノード機能通知メッセージを受信し、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用され、上記プロセッサは、第１のページングメッセージを上記アクセスノードに送信するために、上記ユーザデータグラムプロトコルを選択および使用する、移動性管理ネットワーク要素が提供される。
【００２９】
本発明の第６の態様によると、プロセッサと、メモリと、ネットワークインタフェースと、を備え、上記プロセッサは、上記ネットワークインタフェースを使用することによって、上記メモリ内に格納されたノード機能通知メッセージを移動性管理ネットワーク要素に送信し、上記ノード機能通知メッセージは、上記アクセスノードが、上記移動性管理ネットワーク要素からページングメッセージを受信すべく、ストリーム制御送信プロトコルとは異なる、ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用され、上記プロセッサは、上記ネットワークインタフェースを使用することによって、上記ユーザデータグラムプロトコルを選択および使用することによって上記移動性管理ネットワーク要素によって送信される第１のページングメッセージを受信する、アクセスノードが提供される。
【００３０】
先行技術と比較された本発明の有利な効果は、本発明において提供されるアクセスノード、移動性管理ネットワーク要素、およびページングメッセージ処理方法によると、メッセージ受信モジュールがアクセスノードによって送信されるノード機能通知メッセージを受信した後、メッセージ送信モジュールは、第１のページングメッセージをアクセスノードに送信するために、ユーザデータグラムプロトコルを選択および使用し、その結果、ページングメッセージの信頼性のある送信に対するユーザの要求を満たすことができ、移動性管理ネットワーク要素の複数のリソースの消費の度合いが低減され得、移動性管理ネットワーク要素における輻輳の発生は回避され得る。
【図面の簡単な説明】
【００３１】
【図１】モバイル通信ネットワークのネットワークアーキテクチャの図である。
【００３２】
【図２】ストリーム制御送信プロトコルに基づくｅＮｏｄｅＢおよびＭＭＥ間のインタフェースプロトコルスタックのアーキテクチャの模式図である。
【００３３】
【図３】ストリーム制御送信プロトコルに基づくページングメッセージの処理のためのアーキテクチャおよび図１に示されるモバイル通信ネットワークの模式図である。
【００３４】
【図４】ユーザデータグラムプロトコルに基づくｅＮｏｄｅＢおよびＭＭＥ間のインタフェースプロトコルスタックのアーキテクチャの模式図である。
【００３５】
【図５】ユーザデータグラムプロトコルに基づくページングメッセージの処理のためのアーキテクチャおよび図１に示されるモバイル通信ネットワークの模式図である。
【００３６】
【図６】本発明による移動性管理ネットワーク要素の第１の実施形態に係る概略構造図である。
【００３７】
【図７】本発明による移動性管理ネットワーク要素の第２の実施形態に係る概略構造図である。
【００３８】
【図８】本発明による移動性管理ネットワーク要素の第３の実施形態に係る概略構造図である。
【００３９】
【図９】本発明によるアクセスノードの第１の実施形態に係る概略構造図である。
【００４０】
【図１０】本発明によるページングメッセージ処理方法の第１の実施形態に係る概略フローチャートである。
【００４１】
【図１１】本発明によるページングメッセージ処理方法の第２の実施形態に係る概略フローチャートである。
【００４２】
【図１２】本発明によるページングメッセージ処理方法の第３の実施形態に係る概略フローチャートである。
【００４３】
【図１３】本発明によるページングメッセージ処理方法の第４の実施形態に係る概略フローチャートである。
【００４４】
【図１４】本発明による移動性管理ネットワーク要素の第４の実施形態に係る概略構造図である。
【００４５】
【図１５】本発明によるアクセスノードの第２の実施形態に係る概略構造図である。
【発明を実施するための形態】
【００４６】
以下に、本発明は複数の添付図面および実施形態を参照して詳細に記載される。
【００４７】
図１を参照すると、図１は、モバイル通信ネットワークのネットワークアーキテクチャの図である。図１に示される通り、モバイル通信ネットワークは、強化されたパケットスイッチ（Ｅｎｈａｎｃｅｄ  Ｐａｃｋｅｔ  Ｓｗｉｔｃｈ、ＥＰＳ）ネットワークである。ユーザ機器１１（Ｕｓｅｒ  ｅｑｕｉｐｍｅｎｔ、ＵＥ）がローカルアクセスノード１２を使用することによってモバイル通信ネットワークに接続されてよく、その場合、アクセスノード１２が位置付けられるネットワークは、発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）であってよく、それは発展型ノードＢ（Ｅｖｏｌｖｅｄ  ＮｏｄｅＢ、ｅＮｏｄｅＢ）によって形成される。移動性管理ネットワーク要素１３は、移動性管理、ベアラ管理、およびユーザ認証といった複数の機能を主に実装する。移動性管理ネットワーク要素１３は、移動性管理エンティティ（Ｍｏｂｉｌｉｔｙ  Ｍａｎａｇｅｍｅｎｔ  Ｅｎｔｉｔｙ、ＭＭＥ）であってよい。サービス提供ゲートウェイ１４は、ユーザ機器１１のためのローカルアクセスゲートウェイであり、送信層におけるパケットデータの識別、パケットデータのルーティングおよび転送といった複数の機能を主に実装する。サービス提供ゲートウェイ１４は、サービス提供ゲートウェイ（Ｓｅｒｖｉｎｇ  Ｇａｔｅｗａｙ、ＳＧＷ）であってよい。データゲートウェイ１５は、外部データネットワーク１６にアクセスすべく、ユーザ機器１１によって使用されるゲートウェイである。データゲートウェイ１５は、パケットデータネットワークゲートウェイ（Ｐａｃｋｅｔ  Ｄａｔａ  Ｎｅｔｗｏｒｋ  Ｇａｔｅｗａｙ、ＰＧＷ）であってよい。外部データネットワーク１６は、オペレータのＩＰサービスネットワークであり、例えば、ＩＰマルチメディアサブシステム（ＩＰ  Ｍｕｌｔｉｍｅｄｉａ  Ｓｕｂｓｙｓｔｅｍ、ＩＭＳ）またはプロフェッショナル監視システム（Ｐｒｏｆｅｓｓｉｏｎａｌ  Ｓｕｒｖｅｉｌｌａｎｃｅ  Ｓｙｓｔｅｍ、ＰＳＳ）である。
【００４８】
通信送信プロトコルはアクセスノード１２および移動性管理ネットワーク要素１３間のメッセージ送信に特に適用可能である。例えば、アクセスノード１２は、ｅＮｏｄｅＢであり、移動性管理ネットワーク要素１３はＭＭＥである。図２を参照すると、図２は、ストリーム制御送信プロトコルに基づく、ｅＮｏｄｅＢおよびＭＭＥ間のインタフェースプロトコルスタックのアーキテクチャの模式図である。図２に示される通り、ｅＮｏｄｅＢとＭＭＥとの間のやり取りは、Ｓ１インタフェースを使用することによって実行され、ｅＮｏｄｅＢとＭＭＥとの間のＳ１インタフェースは、Ｓ１‐ＭＭＥインタフェースとして示されてよい。Ｓ１インタフェース送信ネットワーク層における送信は、ＩＰプロトコルに基づいて実行される。ストリーム制御送信プロトコルは、アプリケーション層におけるメッセージの信頼性のある送信を提供すべく、ＩＰプロトコルに基づいて使用される。Ｓ１インタフェースアプリケーション層のプロトコルは、Ｓ１アプリケーションプロトコル（Ｓ１  Ａｐｐｌｉｃａｔｉｏｎ  ｐｒｏｔｏｃｏｌ、Ｓ１ＡＰ）である。
【００４９】
図３を参照すると、図３は、ストリーム制御送信プロトコルに基づくページングメッセージの処理のためのアーキテクチャおよび図１に示されるモバイル通信ネットワークの模式図である。図３に示される通り、移動性管理ネットワーク要素１３は、複数のユーザシグナリング処理モジュール１３１および複数のインタフェースシグナリング処理モジュール１３２を含む。実際の適用において、具体的に何百ものインタフェースシグナリング処理モジュール１３２が存在してよい。複数のアクセスノード１２は、移動性管理ネットワーク要素１３に対するＳＣＴＰ接続を別個に確立する。特に、複数のアクセスノード１２に係る複数のストリーム制御送信プロトコル接続は、ランダムかつ均等に、移動性管理ネットワーク要素１３のすべてのインタフェースシグナリング処理モジュール１３２に分散される。
【００５０】
ページングメッセージを処理するために、ストリーム制御送信プロトコルが使用されている場合において、ユーザ機器１１がアイドル状態であれば、移動性管理ネットワーク要素１３は、ユーザ機器１１が位置付けられている登録領域に対応するすべてのアクセスノード１２に対し、ページングメッセージをブロードキャストする必要がある。ユーザ機器１１が位置付けられる登録領域にサービス提供するアクセスノード１２は何百も存在する可能性があるので、ページングを開始するとき、１つのユーザシグナリング処理モジュール１３１は、何百ものインタフェースシグナリング処理モジュール１３２にページングメッセージを送信する必要があり、すると、数百のインタフェースシグナリング処理モジュール１３２は、当該複数のアクセスノード１２に対し確立された複数のストリーム制御送信プロトコル接続を使用することによって、別個にページングメッセージを送信する。例えば、ユーザ機器１１が位置付けられる登録領域内に２００個のアクセスノード１２があり、移動性管理ネットワーク要素１３は、合計１００個のインタフェースシグナリング処理モジュール１３２を有することが想定される。１つのユーザシグナリング処理モジュール１３１が、すべてのインタフェースシグナリング処理モジュール１３２に対しページングメッセージを送信し、これらのインタフェースシグナリング処理モジュール１３２がページングメッセージを登録領域内の複数のアクセスノード１２にさらに送信する場合、移動性管理ネットワーク要素１３は、１つのページング処理において合計３００のページングメッセージを処理する必要がある。実際の適用において、移動性管理ネットワーク要素１３は、毎秒数万回のページングを開始し、従って、移動性管理ネットワーク要素１３は、数百万のページングメッセージを処理する必要がある。
【００５１】
従って、ページングメッセージを処理するために、ストリーム制御送信プロトコルが使用される場合、ページングメッセージ送信は非常に信頼性があるが、多数のアクセスノード１２が存在する場合、移動性管理ネットワーク要素１３のリソースが大量に消費され、それにより、移動性管理ネットワーク要素１３に対し重い処理負荷をもたらし、消費が極めて大きい場合、輻輳の問題さえ生じさせる。
【００５２】
図４を参照すると、図４はユーザデータグラムプロトコルに基づく、ｅＮｏｄｅＢおよびＭＭＥ間のインタフェースプロトコルスタックのアーキテクチャの模式図である。図４は、アプリケーション層メッセージの迅速な送信を提供すべく、ＩＰプロトコルに基づいて、ユーザデータグラムプロトコルが使用される点において図２と異なる。
【００５３】
図５は、ユーザデータグラムプロトコルに基づくページングメッセージの処理のためのアーキテクチャおよび図１に示されるモバイル通信ネットワークの模式図である。図５に示される通り、ＵＤＰプロトコルは、ステートレス切り替えを特徴とし、コネクションレスであるので、アクセスノード１２とやり取りする際、移動性管理ネットワーク要素１３は、ポートを使用し、宛先アドレスに従い、データパケットを直接送信してよく、データパケットは、インタフェースシグナリング処理モジュール１３２のうちの任意の１つを使用することによって送信されてよい。
【００５４】
ページングメッセージを処理するためにユーザデータグラムプロトコルが使用される場合、ユーザシグナリング処理モジュール１３１がページングメッセージを１個のみのインタフェースシグナリング処理モジュール１３２に送信してよく、その後、インタフェースシグナリング処理モジュール１３２は、ページングメッセージをユーザ機器１１が位置付けられている登録領域内の複数のアクセスノード１３に送信する。ページングメッセージを処理するためにユーザデータグラムプロトコルが使用される場合、ページングメッセージの送信の信頼性は比較的低いが、アクセスノード１２の数量が極めて多い場合、移動性管理ネットワーク要素１３の複数のリソースの消費は著しく低減され、輻輳の問題は回避される。別の実施形態において、ユーザシグナリング処理モジュール１３１はまた、ページングメッセージをユーザ機器１１が位置付けられている登録領域内の複数のアクセスノード１３に直接送信してよく、それにより移動性管理ネットワーク要素１３の複数のリソースの消費をさらに低減してよい。
【００５５】
図６は、本発明による移動性管理ネットワーク要素の第１の実施形態に係る概略構造図である。図６に示される通り、移動性管理ネットワーク要素２０は、メッセージ受信モジュール２０１およびメッセージ送信モジュール２０２を含む。
【００５６】
メッセージ受信モジュール２０１は、アクセスノードによって送信されるノード機能通知メッセージを受信するよう構成されており、その場合、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【００５７】
メッセージ送信モジュール２０２は、アクセスノードによって送信されるノード機能通知メッセージをメッセージ受信モジュール２０１が受信した後、第１のページングメッセージをアクセスノードに送信するために、ユーザデータグラムプロトコルを選択および使用するよう構成される。
【００５８】
特に、ひとたびアクセスノードによって送信されるノード機能通知メッセージをメッセージ受信モジュール２０１が受信すると、ノード機能通知メッセージは、メッセージ送信モジュール２０２が、ページングメッセージをアクセスノードに送信するために、ストリーム制御送信プロトコルおよびユーザデータグラムプロトコルの両方の使用をサポートすることを示す。この場合、メッセージ送信モジュール２０２は、ページングメッセージの信頼性のある送信に対するユーザの要求および移動性管理ネットワーク要素の複数のリソースの消費条件に従い、ページングメッセージをアクセスノードに送信すべく、ストリーム制御送信プロトコルまたはユーザデータグラムプロトコルを選択および使用してよい。具体的に、現在のページングメッセージが第１のページングメッセージである場合において、移動性管理ネットワーク要素の複数のリソースの消費が比較的高ければ、メッセージ送信モジュール２０２は、移動性管理ネットワーク要素の複数のリソースの消費が比較的低い通信プロトコル、すなわち、ユーザデータグラムプロトコルを選択および使用し、第１のページングメッセージをアクセスノードに送信する。ユーザが第１のページングメッセージの信頼性のある送信に対する高い要求を有する場合、メッセージ送信モジュール２０２は、高信頼性を備える通信プロトコル、すなわち、ストリーム制御送信プロトコルを選択し、第１のページングメッセージをアクセスノードに送信する。
【００５９】
本発明のこの実施形態において、メッセージ受信モジュールが、アクセスノードによって送信されたノード機能通知メッセージを受信した後、メッセージ送信モジュールは、第１のページングメッセージをアクセスノードに送信するためにユーザデータグラムプロトコルを選択し、その結果、ページングメッセージの信頼性のある送信に対するユーザの要求を満たすことができ、移動性管理ネットワーク要素の複数のリソースの消費の度合いが低減され得、移動性管理ネットワーク要素における輻輳の発生は回避され得る。
【００６０】
図７は、本発明による移動性管理ネットワーク要素の第２の実施形態に係る概略構造図である。図７に示される通り、移動性管理ネットワーク要素３０は、メッセージ受信モジュール３０１およびメッセージ送信モジュール３０２を含む。
【００６１】
メッセージ受信モジュール３０１は、アクセスノードによって送信されるノード機能通知メッセージを受信するよう構成されており、ここで、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【００６２】
この実施形態において、ノード機能通知メッセージは、アクセスノードおよび移動性管理ネットワーク要素間に新たに追加されたインタフェースメッセージであってよく、または移動性管理ネットワーク要素およびアクセスノード間に存在し、通信機能識別子を伝送する既存のインタフェースメッセージであってよい。通信機能識別子は、アクセスノードが、例えば、Ｓ１確立要求メッセージまたはｅＮｏｄｅＢ構成更新メッセージ等のユーザデータグラムプロトコルをサポートするかどうかを示し、すなわち、ノード機能通知メッセージを実装すべく、通信容量識別子を実装するため、情報要素が既存のインタフェースメッセージに追加され、または情報要素が既存のインタフェースメッセージ内で拡張される。
【００６３】
メッセージ送信モジュール３０２は、メッセージ受信モジュール３０１が、アクセスノードによって送信されるノード機能通知メッセージを受信した後、第１のページングメッセージをアクセスノードに送信するために、ユーザデータグラムプロトコルを選択および使用するよう構成される。
【００６４】
特に、メッセージ送信モジュール３０２は、判断ユニット３０２１、メッセージ送信ユニット３０２２、使用状況取得ユニット３０２３、およびパケット損失判断ユニット３０２４を含む。
【００６５】
判断ユニット３０２１は、ページングメッセージを送信するために、ストリーム制御送信プロトコルが移動性管理ネットワーク要素によって使用されている場合に、輻輳が発生しているかどうかを判断するよう構成される。特に、判断ユニット３０２１は、使用状況取得ユニット３０２３およびパケット損失判断ユニット３０２４に接続される。使用状況取得ユニット３０２３は、ページングメッセージを送信するために、ストリーム制御送信プロトコルが移動性管理ネットワーク要素によって使用されている場合に、移動性管理ネットワーク要素の中央処理装置の使用状況を取得するよう構成される。使用状況取得ユニット３０２３によって取得された中央処理装置の使用状況が閾値を超えている場合、判断ユニット３０２１は、ページングメッセージを送信するために、ストリーム制御送信プロトコルが移動性管理ネットワーク要素によって使用されている場合に、輻輳が発生していると判断する。パケット損失判断ユニット３０２４は、ページングメッセージを送信するために、ストリーム制御送信プロトコルが移動性管理ネットワーク要素によって使用されている場合に、データパケット損失の現象が発生しているかどうかを判断するよう構成される。パケット損失判断ユニット３０２４が、ページングメッセージを送信するために、ストリーム制御送信プロトコルが移動性管理ネットワーク要素によって使用されている場合に、データパケット損失の現象が発生していると判断したとき、判断ユニット３０２１は、ページングメッセージを送信するために、ストリーム制御送信プロトコルが移動性管理ネットワーク要素によって使用されている場合に輻輳が発生していると判断する。
【００６６】
メッセージ送信ユニット３０２２は、判断ユニット３０２１が、ページングメッセージを送信するために、ストリーム制御送信プロトコルが移動性管理ネットワーク要素によって使用されている場合に、輻輳が発生していると判断するとき、第１のページングメッセージをアクセスノードに送信するために、ユーザデータグラムプロトコルを選択および使用するよう構成される。また、メッセージ送信ユニット３０２２は、判断ユニット３０２１が、ページングメッセージを送信するために、ストリーム制御送信プロトコルが移動性管理ネットワーク要素によって使用されている場合に、輻輳が発生していないと判断するとき、第１のページングメッセージをアクセスノードに送信するために、ストリーム制御送信プロトコルを選択および使用するようさらに構成される。
【００６７】
本発明のこの実施形態において、メッセージ受信モジュールがアクセスノードによって送信されるノード機能通知情報を受信した後、および判断ユニットがページングメッセージを送信するために、ストリーム制御送信プロトコルが移動性管理ネットワーク要素によって使用されている場合に、輻輳が発生していると判断するとき、メッセージ送信ユニットは、第１のページングメッセージをアクセスノードに送信するために、ユーザデータグラムプロトコルを選択および使用し、その結果、移動性管理ネットワーク要素の複数のリソースの消費の度合いを低減し、従って、移動性管理ネットワーク要素の輻輳の度合いを軽減する。
【００６８】
図８は、本発明による移動性管理ネットワーク要素の第３の実施形態に係る概略構造図である。図８に示される通り、移動性管理ネットワーク要素４０は、メッセージ受信モジュール４０１およびメッセージ送信モジュール４０２を含む。
【００６９】
メッセージ受信モジュール４０１は、アクセスノードによって送信されるノード機能通知メッセージを受信するよう構成されており、その場合、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【００７０】
この実施形態において、ノード機能通知メッセージは、アクセスノードおよび移動性管理ネットワーク要素間に新たに追加されたインタフェースメッセージであってよく、または移動性管理ネットワーク要素およびアクセスノード間に存在し、通信機能識別子を伝送する既存のインタフェースメッセージであってよい。通信機能識別子は、アクセスノードが、例えば、Ｓ１確立要求メッセージまたはｅＮｏｄｅＢ構成更新メッセージ等のユーザデータグラムプロトコルをサポートするかどうかを示し、すなわち、ノード機能通知メッセージを実装すべく、通信容量識別子を実装するため、情報要素が既存のインタフェースメッセージに追加され、または情報要素が既存のインタフェースメッセージ内で拡張される。
【００７１】
メッセージ送信モジュール４０２は、メッセージ受信モジュール４０１がアクセスノードによって送信されるノード機能通知メッセージを受信した後、第１のページングメッセージをアクセスノードに送信するために、ユーザデータグラムプロトコルを選択および使用するよう構成される。
【００７２】
特に、メッセージ送信モジュール４０２は、データパケット受信ユニット４０２１、属性取得ユニット４０２２、およびメッセージ送信ユニット４０２３を含む。
【００７３】
特に、データパケット受信ユニット４０２１は、ページングメッセージをトリガするために、サービス提供ゲートウェイから送信されるデータパケットを受信するよう構成される。属性取得ユニット４０２２は、データパケット受信ユニット４０２１によって受信されるデータパケットに従い、データパケットの属性を取得するよう構成される。メッセージ送信ユニット４０２３は、データパケット属性取得ユニット４０２２によって取得される属性に従い、第１のページングメッセージをアクセスノードに送信するために、ユーザデータグラムプロトコルを選択および使用するよう構成される。
【００７４】
データパケットの属性は、以下のパラメータ、ＥＰＳベアラ識別（ＥＰＳ  Ｂｅａｒｅｒ  Ｉｄｅｎｔｉｔｙ、ＥＢＩ）、リンクされたベアラ識別（Ｌｉｎｋｅｄ  Ｂｅａｒｅｒ  Ｉｄｅｎｔｉｔｙ、ＬＢＩ）、アクセスポイント名（Ａｃｃｅｓｓ  Ｐｏｉｎｔ  Ｎａｍｅ、ＡＰＮ）、ＱｏＳ分類識別（Ｑｏｓ  Ｃｌａｓｓｆｉｅｒ  Ｉｄｅｎｔｉｔｙ、ＱＣＩ）、および割り当て／保持優先度（Ａｌｌｏｃａｔｉｏｎ／Ｒｅｔｅｎｓｉｏｎ  ｐｒｉｏｒｉｔｙ、ＡＲＰ）のうちの１つに従い判断される。
【００７５】
特に、属性取得ユニット４０２２は、データパケットに対応するＥＰＳベアラ識別子を取得し、対応するアクセスポイント名またはＱｏＳ分類識別を取得すべく、ＥＰＳベアラ識別子に従い、ベアラコンテキストを探し、アクセスポイント名またはＱｏＳ分類識別に従い、データパケットの属性を判断する。代替的に、属性取得ユニット４０２２は、データパケットに対応するリンクされたベアラ識別を取得し、対応するアクセスポイント名を取得すべく、リンクされたベアラ識別に従い、ベアラコンテキストを探し、アクセスポイント名に従い、データパケットの属性を判断する。
【００７６】
本発明のこの実施形態において、メッセージ受信モジュールが、アクセスノードによって送信されるノード機能通知メッセージを受信した後、メッセージ送信モジュールは、第１のページングメッセージをアクセスノードに送信するためにデータパケットの属性に従い、ユーザデータグラムプロトコルを選択および使用し、その結果、移動性管理ネットワーク要素の複数のリソースの消費の度合いが低減され、輻輳の発生は回避される。
【００７７】
図９は、本発明によるアクセスノードの第１の実施形態に係る概略構造図である。図９に示される通り、アクセスノード５０は、メッセージ送信モジュール５０１、メッセージ受信モジュール５０２、取得モジュール５０３、および判断モジュール５０４を含む。
【００７８】
メッセージ送信モジュール５０１は、ノード機能通知メッセージを移動性管理ネットワーク要素に送信するよう構成されており、その場合、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【００７９】
この実施形態において、ノード機能通知メッセージは、アクセスノードおよび移動性管理ネットワーク要素間に新たに追加されたインタフェースメッセージであってよく、または移動性管理ネットワーク要素およびアクセスノード間に存在し、通信機能識別子を伝送する既存のインタフェースメッセージであってよい。通信機能識別子は、アクセスノードが、例えば、Ｓ１確立要求メッセージまたはｅＮｏｄｅＢ構成更新メッセージ等のユーザデータグラムプロトコルをサポートするかどうかを示し、すなわち、ノード機能通知メッセージを実装すべく、通信容量識別子を実装するため、情報要素が既存のインタフェースメッセージに追加され、または情報要素が既存のインタフェースメッセージ内で拡張される。
【００８０】
メッセージ受信モジュール５０２は、メッセージ送信モジュール５０１がノード機能通知メッセージを移動性管理ネットワーク要素に送信した後、ユーザデータグラムプロトコルを選択および使用することによって、移動性管理ネットワーク要素によって送信される第１のページングメッセージを受信するよう構成される。
【００８１】
取得モジュール５０３は、メッセージ受信モジュール５０２が、ユーザデータグラムプロトコルを選択および使用することよって移動性管理ネットワーク要素によって送信される第１のページングメッセージを受信した後、第１のページングメッセージ内の移動性管理ネットワーク要素識別子に従い、移動性管理ネットワーク要素のストリーム制御送信プロトコル接続情報を取得するよう構成される。ストリーム制御送信プロトコル接続情報は、ストリーム制御送信プロトコル接続情報の任意の部分であってよい。
【００８２】
判断モジュール５０４は、取得モジュール５０３によって取得されるストリーム制御送信プロトコル接続情報内の第１のＩＰアドレスが第１のページングメッセージ内の第２のＩＰアドレスと同一であるかどうかを判断するよう構成される。第１のＩＰアドレスは、アクセスノードが、移動性管理ネットワーク要素へのＳＣＴＰ接続を確立する場合におけるＳＣＴＰ接続に対応する移動性管理ネットワーク要素のＩＰアドレスであり、第２のＩＰアドレスは、第１のページングメッセージ内のソースＩＰアドレスである。
【００８３】
判断モジュール５０４が、第１のＩＰアドレスおよび第２のＩＰアドレスが同一であると判断する場合、メッセージ送信モジュール５０１は、第１のページングメッセージをユーザ端末に送信する。または、判断モジュール５０４が、第１のＩＰアドレスが第２のＩＰアドレスと異なると判断する場合、メッセージ送信モジュール５０１は第１のページングメッセージを破棄する。
【００８４】
本発明のこの実施形態において、メッセージ送信モジュールが、ノード機能通知情報を移動性管理ネットワーク要素に送信した後、メッセージ受信モジュールは、ユーザデータグラムプロトコルを選択および使用することによって、移動性管理ネットワーク要素によって送信される第１のページングメッセージを受信し、その結果、移動性管理ネットワーク要素の複数のリソースの消費は低減され、輻輳の発生は回避される。
【００８５】
図１０は、本発明によるページングメッセージ処理方法の第１の実施形態に係る概略フローチャートであり、当該方法は、図６に示される装置によって実行されてよい。実質的に同一の複数の結果が存在する場合、本発明の方法は、図１０に示されるプロシージャのシーケンスに限定されるものではないことに留意すべきである。図１０に示される通り、当該方法は、以下の複数の段階を含む。
【００８６】
段階Ｓ１０１。メッセージ受信モジュール２０１は、アクセスノードによって送信されるノード機能通知メッセージを受信する。
【００８７】
段階Ｓ１０１において、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【００８８】
ノード機能通知メッセージは、アクセスノード上で直接構成されてよく、またはモバイル通信ネットワーク内の運用および維持ユニット（Ｏｐｅｒａｔｉｏｎ  ａｎｄ  Ｍａｉｎｔｅｎａｎｃｅ、ＯＡＭ）のような別のネットワーク要素を使用することによってアクセスノードに送信されてよい。
【００８９】
ノード機能通知メッセージは、アクセスノードおよび移動性管理ネットワーク要素間に新たに追加されたインタフェースメッセージであってよく、または移動性管理ネットワーク要素およびアクセスノード間に存在し、通信機能識別子を伝送する既存のインタフェースメッセージであってよい。通信機能識別子は、アクセスノードが、例えば、Ｓ１確立要求メッセージまたはｅＮｏｄｅＢ構成更新メッセージ等のユーザデータグラムプロトコルをサポートするかどうかを示し、すなわち、ノード機能通知メッセージを実装すべく、通信容量識別子を実装するため、情報要素が既存のインタフェースメッセージに追加され、または情報要素が既存のインタフェースメッセージ内で拡張される。
【００９０】
特に、ノード機能通知メッセージ内の通信機能識別子は、通信のためのユーザデータグラムプロトコルの使用が、アクセスノードおよび移動性管理ネットワーク要素間でサポートされることを示すのみであってよい。アクセスノードおよび移動性管理ネットワーク要素間で通信のためのユーザデータグラムプロトコルの使用がサポートされない場合に対し、制限は課されない。ある事例は、通信機能識別子がノード機能通知メッセージ内で伝送されない場合、通信機能識別子は、アクセスノードおよび移動性管理ネットワーク要素間で通信のためのユーザデータグラムプロトコルの使用がサポートされないことを示すものであってよい。
【００９１】
また、ノード機能通知メッセージ内の通信機能識別子は、通信のためのユーザデータグラムプロトコルの使用が、アクセスノードおよび移動性管理ネットワーク要素間でサポートされないことを示すのみであってよい。アクセスノードおよび移動性管理ネットワーク要素間で通信のためのユーザデータグラムプロトコルの使用がサポートされる場合に対し、制限は課されない。ある事例は、通信機能識別子がノード機能通知メッセージ内で伝送されない場合、通信機能識別子は、アクセスノードおよび移動性管理ネットワーク要素間で通信のためのユーザデータグラムプロトコルの使用がサポートされることを示すものであってよい。
【００９２】
さらに、ノード機能通知メッセージ内の通信機能識別子は、アクセスノードおよび移動性管理ネットワーク要素間で通信のためのユーザデータグラムプロトコルの使用がサポートされるまたはされないことを示してよい。
【００９３】
段階Ｓ１０２。メッセージ送信モジュール２０２は、第１のページングメッセージをアクセスノードに送信するために、ユーザデータグラムプロトコルを選択および使用する。
【００９４】
段階Ｓ１０２において、メッセージ受信モジュール２０１が段階Ｓ１０１において、アクセスノードによって送信されるノード機能通知メッセージを受信した後、メッセージ送信モジュール２０２は、第１のページングメッセージをアクセスノードに送信するために、ユーザデータグラムプロトコルを選択および使用する。
【００９５】
段階Ｓ１０２において、アクセスノードおよび移動性管理ネットワーク要素が、それらの間における通信を実行するために、ストリーム制御送信プロトコルまたはユーザデータグラムプロトコルのいずれかを使用してよい場合、移動性管理ネットワーク要素は、移動性管理ネットワーク要素の複数のリソースの消費の度合いおよびページングメッセージの信頼性のある送信に対するユーザの要求に従い、ページングメッセージをアクセスノードに送信するために、ストリーム制御送信プロトコルまたはユーザデータグラムプロトコルを使用するかどうかを選択してよい。
【００９６】
ストリーム制御送信プロトコルを使用するページングメッセージの送信に対する信頼性は高いが、移動性管理ネットワーク要素に関するより多くのリソースを消費する必要がある。一方、ユーザデータグラムプロトコルは、移動性管理ネットワーク要素の多くのリソースを消費せず、ページングメッセージの迅速な送信のために使用可能であるが、信頼性は低い。
【００９７】
移動性管理ネットワーク要素の複数のリソースの消費が比較的低い場合、移動性管理ネットワーク要素は、現在のページングメッセージ、すなわち、第１のページングメッセージを送信するために、ユーザデータグラムプロトコルを選択および使用してよく、その結果、移動性管理ネットワーク要素の複数のリソースの消費を低減する。移動性管理ネットワーク要素の複数のリソースの消費が比較的低い場合、移動性管理ネットワーク要素は、第１のページングメッセージを送信するために、ストリーム制御送信プロトコルを選択および使用してよく、その結果、ページングメッセージの信頼性のある送信を保証する。
【００９８】
別の実施形態において、ページングメッセージが処理されている場合、移動性管理ネットワーク要素は、ページングメッセージを、移動性管理ネットワーク要素に接続された複数のアクセスノードに送信する必要があるので、移動性管理ネットワーク要素はまた、ストリーム制御送信プロトコルを使用することによってページングメッセージを送信するために、複数のアクセスノードのうちの一部を選択してよく、残りのアクセスノードは、ページングメッセージを送信するために、ユーザデータグラムプロトコルを使用する。
【００９９】
本発明のこの実施形態において、メッセージ受信モジュールが、アクセスノードによって送信されるノード機能通知メッセージを受信した後、メッセージ送信モジュールは、第１のページングメッセージをアクセスノードに送信するためにユーザデータグラムプロトコルを選択および使用し、その結果、ページングメッセージは比較的高信頼性をもって送信され、同時に、ページングメッセージ処理プロセスにおける移動性管理ネットワーク要素の複数のリソースの消費が低減され得、移動性管理ネットワーク要素における輻輳の問題は回避され得る。
【０１００】
図１１は、本発明によるページングメッセージ処理方法の第２の実施形態に係る概略フローチャートであり、当該方法は、図７に示される装置によって実行されてよい。実質的に同一の複数の結果が存在する場合、本発明の方法は、図１１に示されるプロシージャのシーケンスに限定されるものではないことに留意すべきである。図１１に示される通り、当該方法は、以下の複数の段階を含む。
【０１０１】
段階Ｓ２０１。メッセージ受信モジュール３０１は、アクセスノードによって送信されるノード機能通知メッセージを受信する。
【０１０２】
段階Ｓ２０１において、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。ストリーム制御送信プロトコルは、ストリーム制御送信プロトコルであり、ユーザデータグラムプロトコルはユーザデータグラムプロトコルである。
【０１０３】
段階Ｓ２０２。判断ユニット３０２１は、ページングメッセージを送信するために、ユーザデータグラムプロトコルが、移動性管理ネットワーク要素によって使用されている場合に輻輳が発生するかどうかを判断する。輻輳が発生すると判断されると、段階Ｓ２０３が実行され、または輻輳が発生しないと判断されると、段階Ｓ２０４が実行される。
【０１０４】
段階Ｓ２０２において、判断ユニット３０２１は、ページングメッセージを送信するために、ストリーム制御送信プロトコルが移動性管理ネットワーク要素によって使用されている場合、輻輳が発生しているかどうかを判断する。それは、ページングメッセージを送信するために、ストリーム制御送信プロトコルが移動性管理ネットワーク要素によって使用されている場合の使用状況取得ユニット３０２３によって取得される移動性管理ネットワーク要素の中央処理装置の使用状況に従う、またはページングメッセージを送信するために、ストリーム制御送信プロトコルが移動性管理ネットワーク要素によって使用されている場合に、パケット損失判断ユニット３０２４によって判断される、データパケット損失の現象が発生しているかどうかに従う。
【０１０５】
特に、使用状況取得ユニット３０２３は、ページングメッセージを送信するために、ストリーム制御送信プロトコルが移動性管理ネットワーク要素によって使用されている場合の、移動性管理ネットワーク要素の中央処理装置の使用状況を取得する。使用状況取得ユニット３０２３によって取得される中央処理装置の使用状況が閾値（例えば、８０％）を超えている場合、判断ユニット３０２１は、ページングメッセージを送信するために、ストリーム制御送信プロトコルが移動性管理ネットワーク要素によって使用されている場合に、輻輳が発生していると判断する。パケット損失判断サブユニット３０２４は、ページングメッセージを送信するために、ストリーム制御送信プロトコルが移動性管理ネットワーク要素によって使用されている場合に、データパケット損失の現象が発生しているかどうかを判断する。パケット損失判断サブユニット３０２４が、ページングメッセージを送信するために、ストリーム制御送信プロトコルが移動性管理ネットワーク要素によって使用されている場合に、データパケット損失の現象が発生していると判断するとき、判断ユニット３０２１は、ページングメッセージを送信するために、ストリーム制御送信プロトコルが移動性管理ネットワーク要素によって使用されている場合に、輻輳が発生していると判断する。
【０１０６】
段階Ｓ２０３。メッセージ送信ユニット３０２２は、第１のページングメッセージをアクセスノードに送信するために、ユーザデータグラムプロトコルを選択および使用する。
【０１０７】
段階Ｓ２０３において、判断ユニット３０２１が段階Ｓ２０２において、ページングメッセージを送信するために、ストリーム制御送信プロトコルが移動性管理ネットワーク要素によって使用されている場合に、輻輳が発生していると判断するとき、メッセージ送信ユニット３０２２は、現在のページングメッセージ、すなわち、第１のページングメッセージをアクセスノードに送信するために、ユーザデータグラムプロトコルを選択および使用し、その結果、輻輳の度合いを低減する。
【０１０８】
段階Ｓ２０４。メッセージ送信ユニット３０２２は、第１のページングメッセージをアクセスノードに送信するために、ストリーム制御送信プロトコルを選択および使用する。
【０１０９】
段階Ｓ２０４において、判断ユニット３０２１が段階Ｓ２０２において、ページングメッセージを送信するために、ストリーム制御送信プロトコルが移動性管理ネットワーク要素によって使用されている場合に、輻輳が発生していないと判断するとき、メッセージ送信ユニット３０２２は、現在のページングメッセージ、すなわち、第１のページングメッセージをアクセスノードに送信するために、ストリーム制御送信プロトコルを選択および使用し、ページングメッセージの信頼性のある送信を保証する。
【０１１０】
本発明のこの実施形態において、メッセージ受信モジュールがアクセスノードによって送信されるノード機能通知情報を受信する場合、および判断ユニットがページングメッセージを送信するために、ストリーム制御送信プロトコルが移動性管理ネットワーク要素によって使用されている場合に、輻輳が発生していると判断するとき、メッセージ送信ユニットは第１のページングメッセージをアクセスノードに送信するために、ユーザデータグラムプロトコルを選択および使用し、これにより、移動性管理ネットワーク要素の輻輳の度合いを効果的に低減でき、従って、移動性管理ネットワーク要素が適切に動作することを保証できる。
【０１１１】
図１２は、本発明によるページングメッセージ処理方法の第３の実施形態に係る概略フローチャートであり、当該方法は図８に示される装置によって実行されてよい。実質的に同一の複数の結果が存在する場合、本発明の方法は、図１２に示されるプロシージャのシーケンスに限定されるものではないことに留意すべきである。図１２に示される通り、当該方法は以下の複数の段階を含む。
【０１１２】
段階Ｓ３０１。メッセージ受信モジュール４０１は、アクセスノードによって送信されるノード機能通知メッセージを受信する。
【０１１３】
段階Ｓ３０１において、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。ストリーム制御送信プロトコルは、ストリーム制御送信プロトコルであり、ユーザデータグラムプロトコルはユーザデータグラムプロトコルである。
【０１１４】
段階Ｓ３０２。データパケット受信ユニット４０２１は、ページングメッセージをトリガするために、サービス提供ゲートウェイによって送信されるデータパケットを受信する。
【０１１５】
段階Ｓ３０３。属性取得ユニット４０２２は、データパケットの属性を取得する。
【０１１６】
段階Ｓ３０３において、データパケットの属性は、以下のパラメータ、ＥＰＳベアラ識別（ＥＰＳ  Ｂｅａｒｅｒ  Ｉｄｅｎｔｉｔｙ、ＥＢＩ）、リンクされたベアラ識別（Ｌｉｎｋｅｄ  Ｂｅａｒｅｒ  Ｉｄｅｎｔｉｔｙ、ＬＢＩ）、アクセスポイント名（Ａｃｃｅｓｓ  Ｐｏｉｎｔ  Ｎａｍｅ、ＡＰＮ）、ＱｏＳ分類識別（Ｑｏｓ  Ｃｌａｓｓｆｉｅｒ  Ｉｄｅｎｔｉｔｙ、ＱＣＩ）、および割り当て／保持優先度（Ａｌｌｏｃａｔｉｏｎ／Ｒｅｔｅｎｓｉｏｎ  ｐｒｉｏｒｉｔｙ、ＡＲＰ）のうちの１つに従い判断される。
【０１１７】
特に、データパケットの属性がＥＰＳベアラ識別に従い判断される場合、属性取得ユニット４０２２はまず、データパケットに対応するＥＰＳベアラ識別を取得し、その後、対応するアクセスポイント名またはＱｏＳ分類識別を取得すべく、ＥＰＳベアラ識別に従い、ベアラコンテキストを探し、最終的にアクセスポイント名またはＱｏＳ分類識別に従い、データパケットの属性を判断する。
【０１１８】
データパケットの属性がリンクされたベアラ識別によって判断される場合、属性取得ユニット４０２２はまず、データパケットに対応するリンクされたベアラ識別を取得し、その後、対応するアクセスポイント名を取得すべく、リンクされたベアラ識別に従い、ベアラコンテキストを探し、最終的にアクセスポイント名に従い、データパケットの属性を判断する。
【０１１９】
データパケットの属性は、データパケットの接続属性、遅延属性、および優先度属性等を含む。データパケットの接続属性は、アクセスポイント名に対応する。例えば、ＩＭＳ  ＡＰＮが、アクセスポイントに対応するＩＰマルチメディアサブシステムのデータパケットを示し、インターネットＡＰＮが、アクセスポイントに対応するインターネットシステムのデータパケットを示す。データパケットの遅延属性は、ＱＣＩに対応する。例えば、ＱＣＩ  ３は、遅延に対する高い要件を有するデータパケットを示し、ＱＣＩ  ９は、遅延に対する低い要件を有するデータパケットを示す。データパケットの優先度属性は、ＡＲＰに対応する。例えば、ＡＲＰにおける優先度が１のデータパケットが、高優先度を持つデータパケットを示し、ＡＲＰにおける優先度が３のデータパケットが、低優先度を持つデータパケットを示す。
【０１２０】
段階Ｓ３０４。メッセージ送信ユニット４０２３が、第１のページングメッセージをアクセスノードに送信するために、データパケットの属性に従い、ユーザデータグラムプロトコルを選択および使用する。
【０１２１】
段階Ｓ３０４において、上記の説明に照らし、データパケットの属性が接続属性の場合、およびデータパケットの取得された接続属性がＩＭＳ  ＡＰＮである場合、メッセージ送信ユニット４０２３は、第１のページングメッセージをアクセスノードに送信するために、ストリーム制御送信プロトコルを選択および使用する。データパケットの取得された接続属性がインターネットＡＰＮである場合、メッセージ送信ユニット４０２３は、現在のページングメッセージ、すなわち、第１のページングメッセージをアクセスノードに送信するために、ユーザデータグラムプロトコルを選択および使用する。
【０１２２】
データパケットの属性が遅延属性の場合、標準的なＱＣＩ属性について、ＱＣＩのより小さな値が、ＱＣＩに対応する遅延に対するより高い要件を示す。データパケットの遅延属性は、ＱＣＩに対応する値に従い、取得されてよい。取得されたデータパケットが、その遅延属性が遅延に対する高い要件を示すデータパケット、例えば、ＱＣＩの値が３である場合、メッセージ送信ユニット４０２３は、第１のページングメッセージをアクセスノードに送信するために、ストリーム制御送信プロトコルを選択および使用し、その結果、リアルタイムの送信を保証する。取得されたデータパケットが、その遅延属性が遅延に対する低い要件を示すデータパケット、例えば、ＱＣＩの値が９である場合、メッセージ送信ユニット４０２３は、第１のページングメッセージをアクセスノードに送信するために、ユーザデータグラムプロトコルを選択および使用し、その結果、移動性管理ネットワーク要素の複数のリソースの消費を低減する。
【０１２３】
データパケットの属性が優先度属性の場合、標準的なＡＲＰ属性において、ＡＲＰのより小さな値が、ＡＲＰに対応するより高い優先度を示す。データパケットの優先度属性は、ＡＲＰに対応する値に従い、取得されてよい。取得されたデータパケットが、その優先度が高いデータパケット、例えば、ＡＲＰの値が１である場合、メッセージ送信ユニット４０２３は、第１のページングメッセージをアクセスノードに送信するために、ストリーム制御送信プロトコルを選択および使用し、その結果、リアルタイムの送信を保証する。取得されたデータパケットが、その優先度が低いデータパケット、例えば、ＡＲＰの値が３である場合、メッセージ送信ユニット４０２３は、第１のページングメッセージをアクセスノードに送信するために、ユーザデータグラムプロトコルを選択および使用し、その結果、移動性管理ネットワーク要素の複数のリソースの消費を低減する。
【０１２４】
本発明のこの実施形態において、メッセージ受信モジュールが、アクセスノードによって送信されたノード機能通知メッセージを受信した後、メッセージ送信ユニットは、第１のページングメッセージをアクセスノードに送信するためにデータパケットの属性に従い、ユーザデータグラムプロトコルを選択および使用し、それにより、移動性管理ネットワーク要素の複数のリソースの消費を効果的に低減し得、移動性管理ネットワーク要素における輻輳の発生を回避し得る。
【０１２５】
図１３は、本発明によるページングメッセージ処理方法の第４の実施形態に係る概略フローチャートであり、当該方法は、図９に示される装置によって実行されてよい。実質的に同一の複数の結果が存在する場合、本発明の方法は、図１３に示されるプロシージャのシーケンスに限定されるものではないことに留意すべきである。図１３に示される通り、当該方法は以下の複数の段階を含む。
【０１２６】
段階Ｓ４０１。メッセージ送信モジュール５０１が、ノード機能通知メッセージを移動性管理ネットワーク要素に送信する。
【０１２７】
段階Ｓ４０１において、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【０１２８】
段階Ｓ４０２。メッセージ受信モジュール５０２は、ユーザデータグラムプロトコルを選択および使用することによって、移動性管理ネットワーク要素によって送信される第１のページングメッセージを受信する。
【０１２９】
段階Ｓ４０３。メッセージ受信モジュール５０２が第１のページングメッセージを受信した後、取得モジュール５０３は、第１のページングメッセージ内の移動性管理ネットワーク要素識別子に従い、移動性管理ネットワーク要素のストリーム制御送信プロトコル接続情報を取得する。
【０１３０】
段階Ｓ４０３において、移動性管理ネットワーク要素識別子は、アクセスノードへのＳＣＴＰ接続を確立する移動性管理ネットワーク要素を示すために使用される。アクセスノードが、ユーザデータグラムプロトコルを使用することによってページングメッセージを受信した後、アクセスノードは、ページングメッセージ内の移動性管理ネットワーク要素識別子によって示される移動性管理ネットワーク要素に従い、アクセスモードおよび移動性管理ネットワーク要素間のストリーム制御送信プロトコル接続情報を取得する。
【０１３１】
段階Ｓ４０４。判断モジュール５０４が、ストリーム制御送信プロトコル接続情報内の第１のＩＰアドレスが、第１のページングメッセージ内の第２のＩＰアドレスと同一であるかどうかを判断する。第１のＩＰアドレスおよび第２のＩＰアドレスが同一であれば、段階Ｓ４０５が実行される。または、第１のＩＰアドレスが第２のＩＰアドレスと異なれば、段階Ｓ４０６が実行される。
【０１３２】
段階Ｓ４０４において、アクセスノードが移動性管理ネットワーク要素へのＳＣＴＰ接続を確立する場合、ストリーム制御送信プロトコル接続情報内の第１のＩＰアドレスは、対応する移動性管理ネットワーク要素のＩＰアドレスであり、第１のページングメッセージ内の第２のＩＰアドレスは、第１のページングメッセージ内のソースＩＰアドレスである。
【０１３３】
段階Ｓ４０５。メッセージ受信モジュール５０２は、第１のページングメッセージをユーザ端末に送信する。
【０１３４】
段階Ｓ４０５において、判断モジュール５０４が段階Ｓ４０４において、移動性管理ネットワーク要素のＩＰアドレスが、ページングメッセージ内のソースＩＰアドレスと同一であると判断する場合、メッセージ受信モジュール５０２は、ユーザ端末をメッセージ受信モジュール５０２の適用領域にページする。
【０１３５】
段階Ｓ４０６。メッセージ受信モジュール５０２は、第１のページングメッセージを破棄する。
【０１３６】
段階Ｓ４０６において、判断モジュール５０４が、段階Ｓ４０４において、移動性管理ネットワーク要素のＩＰアドレスが、ページングメッセージ内のソースＩＰアドレスと異なると判断する場合、メッセージ受信モジュール５０２は、第１のページングメッセージを破棄する。
【０１３７】
本発明のこの実施形態において、メッセージ送信モジュールが、ノード機能通知情報を移動性管理ネットワーク要素に送信した後、メッセージ受信モジュールは、ユーザデータグラムプロトコルを選択および使用することによって、移動性管理ネットワーク要素によって送信される第１のページングメッセージを受信し、それにより、移動性管理ネットワーク要素の複数のリソースの消費を効果的に低減し得、移動性管理ネットワーク要素における輻輳の発生を回避し得る。
【０１３８】
図１４は、本発明による移動性管理ネットワーク要素の第４の実施形態に係る概略構造図である。図１４に示される通り、移動性管理ネットワーク要素６０は、プロセッサ６０１、メモリ６０２、ネットワークインタフェース６０３、およびバス６０４を含み、この場合、プロセッサ６０１、メモリ６０２、ネットワークインタフェース６０３は、データのやり取りを実行すべく、別個にバス６０４に連結される。
【０１３９】
プロセッサ６０１は、ネットワークインタフェース６０３を使用することによって、アクセスノードによって送信されるノード機能通知メッセージを受信し、ノード機能通知メッセージをメモリ６０２内に格納し、この場合、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【０１４０】
プロセッサ６０１が、アクセスノードによって送信されるノード機能通知メッセージを受信した後、プロセッサ６０１は、ネットワークインタフェース６０３を使用することによって、メモリ６０２内に格納されたページングメッセージをアクセスノードに送信するために、ユーザデータグラムプロトコルを選択および使用する。
【０１４１】
本発明のこの実施形態において、プロセッサがノード機能通知メッセージを受信した後、プロセッサは、第１のページングメッセージをアクセスノードに送信するためにユーザデータグラムプロトコルを選択および使用し、その結果、ページングメッセージの信頼性のある送信に対するユーザの要求を満たし、移動性管理ネットワーク要素の複数のリソースの消費が低減され、移動性管理ネットワーク要素における輻輳の発生は回避される。
【０１４２】
図１５は、本発明によるアクセスノードの第２の実施形態に係る概略構造図である。図１５に示される通り、アクセスノード７０は、プロセッサ７０１、メモリ７０２、ネットワークインタフェース７０３、およびバス７０４を含み、この場合、プロセッサ７０１、メモリ７０２、ネットワークインタフェース７０３は、データのやり取りを実行すべく、別個にバス７０４に連結される。
【０１４３】
プロセッサ７０１は、ネットワークインタフェース７０３を使用することによって、メモリ７０２内に格納されたノード機能通知メッセージを移動性管理ネットワーク要素に送信し、その場合、ノード機能通知メッセージは、アクセスノードが、移動性管理ネットワーク要素からページングメッセージを受信すべく、ストリーム制御送信プロトコルとは異なる、ユーザデータグラムプロトコルの使用をサポートすること、およびアクセスノードが、移動性管理ネットワーク要素からページングメッセージを受信すべく、ストリーム制御送信プロトコルの使用をサポートすることを示すために使用される。
【０１４４】
ノード機能通知メッセージは、アクセスノードおよび移動性管理ネットワーク要素間に新たに追加されたインタフェースメッセージであってよく、または移動性管理ネットワーク要素およびアクセスノード間にあり、通信機能識別子を伝送する既存のインタフェースメッセージであってよい。通信機能識別子は、アクセスノードが、例えば、Ｓ１確立要求メッセージまたはｅＮｏｄｅＢ構成更新メッセージ等のユーザデータグラムプロトコルをサポートするかどうかを示し、すなわち、ノード機能通知メッセージを実装すべく、通信容量識別子を実装するため、情報要素が既存のインタフェースメッセージに追加され、または情報要素が既存のインタフェースメッセージ内で拡張される。
【０１４５】
プロセッサ７０１は、ネットワークインタフェース７０３を使用することによって、ユーザデータグラムプロトコルを選択および使用することによって、移動性管理ネットワーク要素によって送信される第１のページングメッセージをさらに受信し、第１のページングメッセージをメモリ７０２内に格納する。
【０１４６】
本発明のこの実施形態において、プロセッサがノード機能通知メッセージを送信した後、プロセッサは、ネットワークインタフェースを使用することによって、ユーザデータグラムプロトコルを選択および使用することによって、移動性管理ネットワーク要素によって送信される第１のページングメッセージを受信し、その結果、ページングメッセージの信頼性のある送信に対するユーザの要求を満たし、移動性管理ネットワーク要素の複数のリソースの消費が低減され、移動性管理ネットワーク要素における輻輳の発生は回避される。
【０１４７】
本発明において提供される複数の実施形態において、開示されたシステム、装置、および方法は、他の複数の態様において実装されてもよいことを理解されたい。例えば、記載された装置の実施形態は単に例示にすぎない。例えば、モジュールまたはユニットの分割は、単なる論理的な機能の分割であって、実際の実装においては他の分割であってよい。例えば、複数のユニットまたはコンポーネントは、別のシステムに組み合わされるか、若しくは統合されてよく、または、いくつかの機能は無視され、若しくは実行されなくてよい。また、表示された、または記載された複数の相互連結若しくは直接連結または複数の通信接続は、いくつかのインタフェースを通して実装されてよい。複数の装置間または複数のユニット間の複数の間接連結または通信接続は電子的、機械的、または他の形態で実装されてよい。
【０１４８】
別個の複数の部分として記載される複数のユニットは、物理的に別個であってもなくてもよく、複数のユニットとして表示される複数の部分は、複数の物理的なユニットであってもなくてもよく、それらは１つの場所に位置付けされてよいか、または、複数のネットワークユニット上に分散されてよい。ユニットのうちのいくつかまたはすべては、複数の実施形態の解決手段に係る目的を達成すべく、実際のニーズに従い選択されてよい。
【０１４９】
また、本発明の複数の実施形態における複数の機能ユニットは、１つの処理ユニットに統合されてよく、または、当該複数のユニットの各々は物理的に単独で存在してよく、または２つ若しくは２つより多いユニットが１つのユニットに統合される。統合されたユニットは、ハードウェアの形態で実装されてよく、または、ソフトウェア機能ユニットの形態で実装されてよい。
【０１５０】
統合されたユニットは、ソフトウェア機能ユニットの形態で実装され、独立製品として販売または使用される場合、統合されたユニットは、コンピュータ可読記憶媒体に格納されてよい。そのような理解に基づき、本発明に係る複数の技術的な解決手段は実質的に、若しくは部分的に先行技術に寄与し、または当該複数の技術的な解決手段の全部若しくは部分は、ソフトウェア製品の形態で実装されてよい。ソフトウェア製品は記憶媒体に格納され、コンピュータデバイス（パーソナルコンピュータ、サーバ、またはネットワークデバイスであってよい）またはプロセッサに対し、本発明の複数の実施形態において記載された複数の方法の段階のうちの全部または一部を実行するよう命令するための複数の命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクのようなプログラムコードを格納可能な任意の媒体を含む。
【０１５１】
上記の説明は、本発明の複数の実施形態にすぎず、本発明の範囲を限定する意図ではない。本明細書の内容および本発明の複数の図面を使用してなされる均等な構造的変更若しくは均等な処理変更、または本明細書および複数の図面の内容の直接若しくは間接的な別の関連技術分野への適用は、本発明の保護範囲内に属するものとする。
（項目１）
移動性管理ネットワーク要素によって、アクセスノードによって送信されるノード機能通知メッセージを受信する段階であって、上記ノード機能通知メッセージは、上記アクセスノードが、上記移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、受信する段階と、
上記移動性管理ネットワーク要素によって、第１のページングメッセージを上記アクセスノードに送信するために、上記ユーザデータグラムプロトコルを選択および使用する段階と、を備える、ページングメッセージ処理方法。
（項目２）
上記移動性管理ネットワーク要素によって、第１のページングメッセージを上記アクセスノードに送信するために、上記ユーザデータグラムプロトコルを上記選択および使用する段階は、
上記ページングメッセージを送信するために、上記ストリーム制御送信プロトコルが上記移動性管理ネットワーク要素によって使用されている場合、輻輳が発生しているかどうかを判断する段階と、
上記輻輳が発生している場合、上記第１のページングメッセージを上記アクセスノードに送信するために、上記ユーザデータグラムプロトコルを選択および使用する段階と、を含む、項目１に記載の方法。
（項目３）
上記ページングメッセージを送信するために、上記ストリーム制御送信プロトコルが上記移動性管理ネットワーク要素によって使用されている場合、輻輳が発生しているかどうかを上記判断する段階は、
上記ページングメッセージを送信するために、上記ストリーム制御送信プロトコルが上記移動性管理ネットワーク要素によって使用されている場合の上記移動性管理ネットワーク要素の中央処理装置の使用状況を取得し、上記使用状況が閾値を超えているかどうかを判断する段階と、
上記使用状況が上記閾値を超えていれば、上記ページングメッセージを送信するために、上記ストリーム制御送信プロトコルが上記移動性管理ネットワーク要素によって使用されている場合に上記輻輳が発生していると判断する段階と、を含む、項目２に記載の方法。
（項目４）
上記ページングメッセージを送信するために、上記ストリーム制御送信プロトコルが上記移動性管理ネットワーク要素によって使用されている場合、輻輳が発生しているかどうかを上記判断する段階は、
上記ページングメッセージを送信するために、上記ストリーム制御送信プロトコルが上記移動性管理ネットワーク要素によって使用されている場合、データパケット損失の現象が発生しているかどうかを判断する段階と、
上記データパケット損失の上記現象が発生していれば、上記ページングメッセージを送信するために、上記ストリーム制御送信プロトコルが上記移動性管理ネットワーク要素によって使用されている場合に上記輻輳が発生していると判断する段階と、を含む、項目２に記載の方法。
（項目５）
上記移動性管理ネットワーク要素によって、第１のページングメッセージを上記アクセスノードに送信するために、上記ユーザデータグラムプロトコルを上記選択および使用する段階は、
上記移動性管理ネットワーク要素によって、上記ページングメッセージをトリガするために、サービス提供ゲートウェイによって送信されるデータパケットを受信する段階と、上記データパケットの属性を取得する段階と、上記データパケットの上記属性に従い、上記ユーザデータグラムプロトコルを選択および使用することによって、上記第１のページングメッセージを上記アクセスノードに送信する段階と、を含む、項目１に記載の方法。
（項目６）
上記データパケットの上記属性は、以下のパラメータ、ＥＰＳベアラ識別、リンクされたベアラ識別、アクセスポイント名、ＱｏＳ分類識別子、および割り当て／保持優先度のうちの１つに従い判断される、項目５に記載の方法。
（項目７）
上記データパケットの属性を上記取得する段階は、
上記データパケットに対応する上記ＥＰＳベアラ識別を取得する段階と、対応するアクセスポイント名またはＱｏＳ分類識別を取得すべく、上記ＥＰＳベアラ識別に従い、ベアラコンテキストを探す段階と、上記アクセスポイント名または上記ＱｏＳ分類識別に従い、上記データパケットの上記属性を判断する段階と、を含む、項目６に記載の方法。
（項目８）
上記データパケットの属性を上記取得する段階は、
上記データパケットに対応する上記リンクされたベアラ識別を取得する段階と、対応するアクセスポイント名を取得すべく、上記リンクされたベアラ識別に従い、ベアラコンテキストを探す段階と、上記アクセスポイント名に従い、上記データパケットの上記属性を判断する段階と、を含む、項目６に記載の方法。
（項目９）
上記ノード機能通知メッセージは、ｅＮｏｄｅＢ構成更新メッセージ、または上記アクセスノードが上記ユーザデータグラムプロトコルをサポートするかどうかを示す識別子を伝送するＳ１確立要求メッセージである、項目１から８のいずれか一項に記載の方法。
（項目１０）
アクセスノードによって、ノード機能通知メッセージを移動性管理ネットワーク要素に送信する段階であって、上記ノード機能通知メッセージは、上記アクセスノードが、上記移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、送信する段階と、
上記アクセスノードによって、上記ユーザデータグラムプロトコルを選択および使用することによって、上記移動性管理ネットワーク要素によって送信される第１のページングメッセージを受信する段階と、を備える、ページングメッセージ処理方法。
（項目１１）
上記方法は、
上記アクセスノードが、上記ユーザデータグラムプロトコルを選択および使用することによって、上記移動性管理ネットワーク要素によって送信される上記第１のページングメッセージを受信した後、上記アクセスノードによって、上記第１のページングメッセージ内の移動性管理ネットワーク要素識別子に従い、上記移動性管理ネットワーク要素のストリーム制御送信プロトコル接続情報を取得する段階と、上記ストリーム制御送信プロトコル接続情報内の第１のＩＰアドレスが、上記第１のページングメッセージ内の第２のＩＰアドレスと同一であるかどうかを判断する段階と、をさらに備え、
上記第１のＩＰアドレスが上記第２のＩＰアドレスと同一であれば、上記アクセスノードによって、上記第１のページングメッセージをユーザ端末に送信し、
上記第１のＩＰアドレスが上記第２のＩＰアドレスと異なれば、上記アクセスノードによって、上記第１のページングメッセージを破棄する、項目１０に記載の方法。
（項目１２）
上記ノード機能通知メッセージは、ｅＮｏｄｅＢ構成更新メッセージ、または上記アクセスノードが上記ユーザデータグラムプロトコルをサポートするかどうかを示す識別子を伝送するＳ１確立要求メッセージである、項目１０または１１に記載の方法。
（項目１３）
アクセスノードによって送信されるノード機能通知メッセージを受信するよう構成されたメッセージ受信モジュールであって、上記ノード機能通知メッセージは、上記アクセスノードが、移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、メッセージ受信モジュールと、
第１のページングメッセージを上記アクセスノードに送信するために、上記ユーザデータグラムプロトコルを選択および使用するよう構成された、メッセージ送信モジュールと、を備える、移動性管理ネットワーク要素。
（項目１４）
上記メッセージ送信モジュールは、
上記ページングメッセージを送信するために、上記ストリーム制御送信プロトコルが上記移動性管理ネットワーク要素によって使用されている場合、輻輳が発生しているかどうかを判断するよう構成された判断ユニットと、
上記判断ユニットが、上記ページングメッセージを送信するために、上記ストリーム制御送信プロトコルが上記移動性管理ネットワーク要素によって使用されている場合に上記輻輳が発生していると判断するとき、上記第１のページングメッセージを上記アクセスノードに送信するために、上記ユーザデータグラムプロトコルを選択および使用するよう構成されたメッセージ送信ユニットと、を含む、項目１３に記載の移動性管理ネットワーク要素。
（項目１５）
上記メッセージ送信モジュールは、
上記ページングメッセージを送信するために、上記ストリーム制御送信プロトコルが上記移動性管理ネットワーク要素によって使用されている場合の上記移動性管理ネットワーク要素の中央処理装置の使用状況を取得するよう構成された使用状況取得ユニットをさらに含み、
上記使用状況取得ユニットによって取得された上記中央処理装置の上記使用状況が閾値を超えている場合、上記判断ユニットは、上記ページングメッセージを送信するために、上記ストリーム制御送信プロトコルが上記移動性管理ネットワーク要素によって使用されている場合に上記輻輳が発生していると判断する、項目１４に記載の移動性管理ネットワーク要素。
（項目１６）
上記メッセージ送信モジュールは、
上記ページングメッセージを送信するために、上記ストリーム制御送信プロトコルが上記移動性管理ネットワーク要素によって使用されている場合にデータパケット損失の現象が発生しているかどうかを判断するよう構成されたパケット損失判断ユニットをさらに含み、
上記パケット損失判断ユニットが、上記ページングメッセージを送信するために、上記ストリーム制御送信プロトコルが上記移動性管理ネットワーク要素によって使用されている場合に上記データパケット損失の上記現象が発生していると判断するとき、上記判断ユニットは、上記ページングメッセージを送信するために、上記ストリーム制御送信プロトコルが上記移動性管理ネットワーク要素によって使用されている場合に上記輻輳が発生していると判断する、項目１５に記載の移動性管理ネットワーク要素。
（項目１７）
上記メッセージ送信モジュールは、
上記ページングメッセージをトリガするために、サービス提供ゲートウェイによって送信されるデータパケットを受信するよう構成されたデータパケット受信ユニットと、
上記データパケット受信ユニットによって受信される上記データパケットに従い、上記データパケットの属性を取得するよう構成された属性取得ユニットと、
上記属性取得ユニットによって取得された上記データパケットの上記属性に従い、上記第１のページングメッセージを上記アクセスノードに送信するために上記ユーザデータグラムプロトコルを選択および使用するよう構成されたメッセージ送信ユニットと、をさらに含む、項目１３に記載の移動性管理ネットワーク要素。
（項目１８）
上記データパケットの上記属性は、以下のパラメータ、ＥＰＳベアラ識別、リンクされたベアラ識別、アクセスポイント名、ＱｏＳ分類識別子、および割り当て／保持優先度のうちの１つに従い判断される、項目１７に記載の移動性管理ネットワーク要素。
（項目１９）
上記属性取得ユニットは、上記ＥＰＳベアラ識別を取得し、対応するアクセスポイント名またはＱｏＳ分類識別を取得すべく、上記ＥＰＳベアラ識別に従い、ベアラコンテキストを探し、上記アクセスポイント名または上記ＱｏＳ分類識別に従い、上記データパケットの上記属性を判断するよう構成されている、項目１８に記載の移動性管理ネットワーク要素。
（項目２０）
上記属性取得ユニットは、上記リンクされたベアラ識別を取得し、対応するアクセスポイント名を取得すべく、上記リンクされたベアラ識別に従い、ベアラコンテキストを探し、上記アクセスポイント名に従い、上記データパケットの上記属性を判断するよう構成されている、項目１８に記載の移動性管理ネットワーク要素。
（項目２１）
アクセスノードであって、
ノード機能通知メッセージを移動性管理ネットワーク要素に送信するよう構成されたメッセージ送信モジュールであって、上記ノード機能通知メッセージは、上記アクセスノードが、上記移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用される、メッセージ送信モジュールと、
上記ユーザデータグラムプロトコルを選択および使用することによって、上記移動性管理ネットワーク要素によって送信される第１のページングメッセージを受信するよう構成された、メッセージ受信モジュールと、を備える、アクセスノード。
（項目２２）
上記メッセージ受信モジュールが、上記ユーザデータグラムプロトコルを選択および使用することによって、上記移動性管理ネットワーク要素によって送信される上記第１のページングメッセージを受信した後、上記第１のページングメッセージ内の移動性管理ネットワーク要素識別子に従い、上記移動性管理ネットワーク要素のストリーム制御送信プロトコル接続情報を取得するよう構成された取得モジュールと
上記取得モジュールによって取得される上記ストリーム制御送信プロトコル接続情報内の第１のＩＰアドレスが、上記第１のページングメッセージ内の第２のＩＰアドレスと同一であるかどうかを判断するよう構成された判断モジュールと、をさらに備え、
上記判断モジュールが、上記第１のＩＰアドレスが上記第２のＩＰアドレスと同一であると判断すれば、上記メッセージ送信モジュールは、上記第１のページングメッセージをユーザ端末に送信し、または
上記判断モジュールが、上記第１のＩＰアドレスが上記第２のＩＰアドレスと異なると判断すれば、上記メッセージ送信モジュールは、上記第１のページングメッセージを破棄する、項目２１に記載のアクセスノード。
（項目２３）
プロセッサと、メモリと、ネットワークインタフェースと、を備え、
上記プロセッサは、アクセスノードによって送信されるノード機能通知メッセージを受信し、上記ノード機能通知メッセージは、上記アクセスノードが、移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用され、
上記プロセッサは、第１のページングメッセージを上記アクセスノードに送信するために、上記ユーザデータグラムプロトコルを選択および使用する、移動性管理ネットワーク要素。
（項目２４）
プロセッサと、メモリと、ネットワークインタフェースと、を備え、
上記プロセッサは、上記ネットワークインタフェースを使用することによって、上記メモリ内に格納されたノード機能通知メッセージを移動性管理ネットワーク要素に送信し、上記ノード機能通知メッセージは、アクセスノードが、上記移動性管理ネットワーク要素からページングメッセージを受信すべく、上記ストリーム制御送信プロトコルとは異なる、上記ユーザデータグラムプロトコルの使用をサポートすること、および上記アクセスノードが、上記移動性管理ネットワーク要素から上記ページングメッセージを受信すべく、上記ストリーム制御送信プロトコルの使用をサポートすることを示すために使用され、
上記プロセッサは、上記ネットワークインタフェースを使用することによって、上記ユーザデータグラムプロトコルを選択および使用することによって上記移動性管理ネットワーク要素によって送信される第１のページングメッセージを受信する、アクセスノード。
【図１】
0006296578.tif 000002
【図２】
0006296578.tif 000003
【図３】
0006296578.tif 000004
【図４】
0006296578.tif 000005
【図５】
0006296578.tif 000006
【図６】
0006296578.tif 000007
【図７】
0006296578.tif 000008
【図８】
0006296578.tif 000009
【図９】
0006296578.tif 000010
【図１０】
0006296578.tif 000011
【図１１】
0006296578.tif 000012
【図１２】
0006296578.tif 000013
【図１３】
0006296578.tif 000014
【図１４】
0006296578.tif 000015
【図１５】
0006296578.tif 000016